【事件の表示】
　平成２年特許願第２５５８６０号「セレクタスイッチ端末器」拒絶査定に対する審判事件［平成４年５月７日出願公開、特開平４−１３３２３０号］について、次のとおり審決する。
【結　論】
　本件審判の請求は、成り立たない。
【理　由】
１．手続の経緯・本願発明
　本願は、平成２年９月２５日の特許出願（特願平２−２５５８６０号）であって、その請求項１に係る発明（以下、「本願発明」という。）は、平成１２年１月１１日付け及び平成１２年７月１０日付けで補正された明細書の記載並びに出願当初の図面の記載からみて、その特許請求の範囲の請求項１に記載された次のとおりのものと認める。
「中央制御装置から信号線を介して伝送された時分割多重伝送信号のアドレスデータに続く制御データに基づいて負荷を制御する制御用端末器や、スイッチ入力に応じて信号を上記時分割多重伝送信号の返送待機期間に中央制御装置へ返送し、該中央制御装置から制御用端末器へ信号を伝送して負荷を制御するスイッチ監視用端末器や、スイッチ監視用端末器と同等の機能を有する端末器ユニットを複数設けて負荷を集中制御するセレクタスイッチ端末器等を備えた遠隔制御システムにおいて、各端末器ユニットに複数のスイッチを設けると共に複数対の動作表示用発光ダイオードを設け、セレクタスイッチ端末器の外殻をセレクタベースとセレクタカバーとで構成し、セレクタベースの一端には段部を、他端には係合凹所を形成すると共に、セレクタカバーの一端にはフックを、他端には係合突部を形成し、セレクタベースの段部にセレクタカバーのフックを引っ掛けると共に、セレクタベースの係合凹所にセレクタカバーの係合突部を凹凸係合させ、セレクタベースとセレクタカバーとを結合したことを特徴とするセレクタスイッチ端末器。」
　
２．引用例
　これに対して、原審における平成１１年１０月２２日付けの拒絶理由通知において引用文献１として示された特開昭６２−１９３４８４号公報（以下、「引用例」という。）には、例えば、
（１）公報第２頁右上欄第１７行〜左下欄第１８行の
『第４図に示すように、それぞれ固有アドレスが設定された複数の操作用端末器２ａ、・・・および制御用端末器２ｃが中央制御装置１に信号線３を介して接続される。・・・各操作用端末器２ａには、照明等の負荷４を単独で個別に制御する個別操作スイッチ５ａ、複数の個別操作スイッチ５ａを１箇所に集めたセレクタスイッチ５ｂ、・・・パターン設定スイッチ５ｇなどがそれぞれ異なる操作用端末器２ａに接続される。』
なる記載、
（２）同第３頁左上欄第７行〜右上欄第５行の
『このように、・・・実際にビル等において施工を行なう場合には、・・・各部屋にそれぞれ操作用端末器２ａを内蔵した個別スイッチ５a'、セレクタスイッチ５b'、パターンスイッチ５c'などが・・・配設される。各スイッチ５a'〜５c'のケーシングの前面には、・・・スイッチハンドル４１に対応する負荷４の制御状態を示す動作表示用の表示ランプ４５が露出しており、表示ランプ４５は、たとえば赤色はオン状態、緑色はオフ状態などというように、２色表示で負荷４のオン／オフ状態を表示するようになっている。』
なる記載、
（３）同第３頁右下欄第１２行〜第４頁左上欄第６行の
『操作用端末器２ａには、・・・セレクタスイッチ５ｂ、・・・などのスイッチ４０が接続され、・・・動作表示用の発光ダイオード４５と、・・・から構成される。この操作用端末器２ａはスイッチ４０と同一のケーシング内に収納される。』
なる記載、
（４）同第４頁左上欄第８行〜右上欄第１行の
『中央制御装置１と各端末器２ａ〜２ｃの間で伝送される一組の伝送信号Ｔｓは・・・アドレスデータ信号Ａｄ、・・・制御データ信号Ｃｎ、・・・および各端末器２ａ〜２ｃからの監視データ信号（操作データ信号）が受信可能な期間を設定する返送待機信号Ｒｗを含む・・・信号であり、各端末器２ａ〜２ｃを適宜アクセスする時分割多重方式で伝送される。』
なる記載、及び
（５）同第５頁左下欄第６行〜右下欄第５行の
『一方、セレクタスイッチ５b'のケーシングは、第２図および第３図に示すように、パターン設定スイッチ５g'のケーシングと略同様の形状を有しており、・・・ケース本体７０の前面には各負荷をそれぞれ個々に制御する個別操作スイッチのスイッチハンドル４１と、各スイッチハンドル４１に対応して動作表示を行なう表示ランプ４５・・・とが露出しており、・・・ケース本体７０の前面にはカバー７５が被嵌されるのであり、・・・カバー７５はプレートねじ（図示せず）によりケース本体７０に対して着脱可能に取着される。』
なる記載、そして
（６）図面、例えば第１〜６，９，１０図の記載内容、特に、第２，３，５，６図には、上記（２）および（５）の記載内容を参照すると、照明等の負荷４を集中制御するセレクタスイッチ５b'が、複数の個別操作スイッチ５ａを設けると共に複数の２色表示の動作表示用の発光ダイオード４５を設け、作用端末器２ａを内蔵した１つのスイッチユニットを設けて構成されていることが示されている点、
等からみて、
　中央制御装置１から信号線３を介して伝送された時分割多重方式で伝送される伝送信号Ｔｓのアドレスデータ信号Ａｄに続く制御データ信号Ｃｎに基づいて照明等の負荷４を制御する制御用端末器２ｃや、スイッチ入力に応じて信号を上記伝送信号Ｔｓの返送待機信号Ｒｗの設定期間に中央制御装置１へ返送し、該中央制御装置１から制御用端末器２ｃへ信号を伝送して照明等の負荷４を制御する操作用端末器２ａや、操作用端末器２ａを内蔵したスイッチユニットを１つ設けて照明等の負荷４を集中制御するセレクタスイッチ５ｂ，５b'等を備えた遠隔監視制御装置において、スイッチユニットに複数の個別操作スイッチ５ａを設けると共に複数の２色表示の動作表示用の発光ダイオード４５を設け、セレクタスイッチ５ｂ，５b'のケーシングをケース本体７０とカバー７５とで構成し、ケース本体７０とカバー７５とをプレートねじにより着脱可能に取着したセレクタスイッチ５ｂ，５b'、
が記載されているものと認められる。
　
３．対比
　そこで、本願発明と上記引用例に記載されたもの（以下、単に「引用例のもの」という。）とを比較すると、引用例のものにおける「時分割多重方式で伝送される伝送信号Ｔｓ」、「アドレスデータ信号Ａｄ」、「制御データ信号Ｃｎ」、「照明等の負荷４」、「返送待機信号Ｒｗの設定期間」、「操作用端末器２ａ」、「操作用端末器２ａを内蔵したスイッチユニット」、「セレクタスイッチ５ｂ，５b'」、「遠隔監視制御装置」、「個別操作スイッチ５ａ」、「複数の２色表示の動作表示用の発光ダイオード４５」、「ケーシング」、「ケース本体７０」、「カバー７５」そして「取着」なる各文言は、それらの意味、機能または作用等からみて、それぞれ、順に、本願発明における「時分割多重伝送信号」、「アドレスデータ」、「制御データ」、「負荷」、「返送待機期間」、「スイッチ監視用端末器」、「スイッチ監視用端末器と同等の機能を有する端末器ユニット」、「セレクタスイッチ端末器」、「遠隔制御システム」、「スイッチ」、「複数対の動作表示用発光ダイオード」、「外殻」、「セレクタベース」、「セレクタカバー」そして「結合」なる各文言に相当すると認められるので、本願発明と引用例のものとは、
「中央制御装置から信号線を介して伝送された時分割多重伝送信号のアドレスデータに続く制御データに基づいて負荷を制御する制御用端末器や、スイッチ入力に応じて信号を上記時分割多重伝送信号の返送待機期間に中央制御装置へ返送し、該中央制御装置から制御用端末器へ信号を伝送して負荷を制御するスイッチ監視用端末器や、スイッチ監視用端末器と同等の機能を有する端末器ユニットを設けて負荷を集中制御するセレクタスイッチ端末器等を備えた遠隔制御システムにおいて、端末器ユニットに複数のスイッチを設けると共に複数対の動作表示用発光ダイオードを設け、セレクタスイッチ端末器の外殻をセレクタベースとセレクタカバーとで構成し、セレクタベースとセレクタカバーとを結合したセレクタスイッチ端末器」、
である点で一致しており、下記の点で相違していると認められる。
［相違点］
（Ａ）セレクタスイッチ端末器が、本願発明においては複数の端末器ユニットを設けて構成されているのに対して、引用例のものでは１つの端末器ユニットを設けて構成されている点。
（Ｂ）セレクタベースとセレクタカバーとの結合を、本願発明においては、セレクタベースの一端には段部を、他端には係合凹所を形成すると共に、セレクタカバーの一端にはフックを、他端には係合突部を形成し、セレクタベースの段部にセレクタカバーのフックを引っ掛けると共に、セレクタベースの係合凹所にセレクタカバーの係合突部を凹凸係合させることにより行っているのに対して、引用例のものでは、セレクタベース（ケース本体７０）とセレクタカバー（カバー７５）とをプレートねじにより着脱可能に取着することにより行っている点。
　
４．当審の判断
　続いて、上記の相違点について検討する。
（ａ）相違点（Ａ）について
　一般に、多数（ｍ個）のスイッチ等を組み込んだ機器構成体を構成するに当たって、該機器構成体を、複数（ａ個）のスイッチ等を組み込んだユニット体を複数（ｂ個）設けて構成（ｍ＝ａ×ｂ）することは、電気機器等に関する技術の分野における慣用手段である（必要なら、拒絶査定の備考に示した特開平１−２３３９９３号公報、特開昭６１−２８０１３９号公報あるいは実願昭５７−１５１９１４号（実開昭５９−５６９４０号）のマイクロフィルムを参照のこと。）。
　それ故、上記慣用手段に倣い、引用例のもののセレクタスイッチ端末器を複数の端末器ユニットを設けることによって構成する程度のことは、当業者が必要に応じて容易になし得たものと認められる。
（ｂ）相違点（Ｂ）について
　本体とそれに結合されるカバー体とより成る箱状体において、本体とカバー体との結合を、本体の一端には段部を、他端には係合凹所を形成すると共に、カバー体の一端にはフックを、他端には係合突部を形成し、本体の段部にカバー体のフックを引っ掛けると共に、本体の係合凹所にカバー体の係合突部を凹凸係合させることにより行なうことは、同じく電気機器等に関する技術の分野において周知の手段である（必要なら、特開平２−４５９９９号公報あるいは実願昭４７−５３５１４号（実開昭４９−１２４５２号）のマイクロフィルムを参照のこと。）。
　それ故、引用例のもののセレクタベース（ケース本体７０）とセレクタカバー（カバー７５）との結合に際し、上記周知の手段を適用する程度のことは、当業者が必要に応じて容易になし得たものと認められる。
　そして、本願発明の構成によってもたらされる明細書に記載の効果も、引用例のもの、上記慣用手段及び上記周知の手段から、当業者であれば予測できる範囲のものであって、格別なものとはいえない。
　
５．むすび
　したがって、本願発明は、その出願前に当業者が引用例のもの、上記慣用手段および上記周知の手段に基いて容易に発明をすることができたものと認められるから、特許法第２９条第２項の規定により特許を受けることができない。
　よって、結論のとおり審決する。